【手続補正書】
【提出日】平成30年10月29日(2018.10.29)
【手続補正１】
【補正対象書類名】特許請求の範囲
【補正対象項目名】全文
【補正方法】変更
【補正の内容】
【特許請求の範囲】
【請求項１】
データ同期方法であって、
一次記憶域内の第１の修正データを受信すること、
前記第１の修正データを非同期式メッセージ待ち行列に追加すること、及び
前記非同期式メッセージ待ち行列内の前記第１の修正データをメッセージ送信スレッドによって待機記憶域に送信すること
を含む、方法。
【請求項２】
一次記憶域内の第１の修正データを受信することが、
前記一次記憶域内の前記第１の修正データのデータスナップショットを受信すること
を含む、請求項１に記載の方法。
【請求項３】
バックログデータ照会要求を受信すること、及び
前記非同期式メッセージ待ち行列内の未送信データをフィードバックすること
を更に含む、請求項１に記載の方法。
【請求項４】
前記待機記憶域によってフィードバックされる、前記第１の修正データを成功裏に記憶したことに関する情報を受信すること、及び
前記第１の修正データを削除すること
を更に含む、請求項１に記載の方法。
【請求項５】
前記待機記憶域によってフィードバックされる、前記第１の修正データを成功裏に記憶したことに関する情報を受信することが、
フィードバック条件が満たされるとき前記待機記憶域によってフィードバックされる、前記第１の修正データを成功裏に記憶したことに関する情報を受信することを含み、前記フィードバック条件は、前記待機記憶域の全記憶ユニットに対する前記第１の修正データを成功裏に記憶している記憶ユニットの比率が予め設定した比率閾値に達することである、
請求項４に記載の方法。
【請求項６】
前記非同期式メッセージ待ち行列内の前記第１の修正データをメッセージ送信スレッドによって待機記憶域に送信することが、
前記非同期式メッセージ待ち行列内の前記第１の修正データをメッセージ送信スレッドによって待機メモリ記憶域に送信することを含み、前記待機メモリ記憶域のデータ有効期限は前記一次記憶域が第２の待機記憶域にデータを同期する時間遅延よりも長い、
請求項１に記載の方法。
【請求項７】
データ同期機器であって、
一次記憶域によって送信される第１の修正データを受信するように構成されるデータ受信ユニットと、
前記第１の修正データを非同期式メッセージ待ち行列に追加するように構成されるデータ処理ユニットと、
前記非同期式メッセージ待ち行列内の前記第１の修正データをメッセージ送信スレッドによって待機記憶域に送信するように構成されるデータ送信ユニットと
を含む、機器。
【請求項８】
前記データ受信ユニットが、前記一次記憶域によって送信される前記第１の修正データのデータスナップショットを受信するように更に構成される、
請求項７に記載の機器。
【請求項９】
バックログデータ照会要求を受信するように構成される要求受信ユニットと、
前記非同期式メッセージ待ち行列内の未送信データをフィードバックするように構成される情報フィードバックユニットと
を更に含む、請求項７に記載の機器。
【請求項１０】
前記待機記憶域によってフィードバックされる、前記第１の修正データを成功裏に記憶したことに関する情報を受信するように構成される情報受信ユニットと、
前記第１の修正データを削除するように構成されるデータ削除ユニットと
を更に含む、請求項７に記載の機器。
【請求項１１】
前記情報受信ユニットは、フィードバック条件が満たされるとき前記待機記憶域によってフィードバックされる、前記第１の修正データを成功裏に記憶したことに関する情報を受信するように更に構成され、前記フィードバック条件は、前記待機記憶域の全記憶ユニットに対する前記第１の修正データを成功裏に記憶している記憶ユニットの比率が予め設定した比率閾値に達することである、
請求項１０に記載の機器。
【請求項１２】
前記データ送信ユニットが、前記非同期式メッセージ待ち行列内の前記第１の修正データをメッセージ送信スレッドによって待機メモリ記憶域に送信するように更に構成され、前記待機メモリ記憶域のデータ有効期限は前記一次記憶域が第２の待機記憶域にデータを同期する時間遅延よりも長い、
請求項７に記載の機器。
【請求項１３】
一次記憶域と、非同期式メッセージ待ち行列システムと、待機メモリ記憶域と、第２の待機記憶域とを含むデータ同期システムであって、
前記非同期式メッセージ待ち行列システムは、前記一次記憶域によって送信される第１の修正データを受信し、前記第１の修正データを非同期式メッセージ待ち行列に追加し、前記非同期式メッセージ待ち行列内の前記第１の修正データをメッセージ送信スレッドによって前記待機メモリ記憶域に送信するように構成され、
前記第２の待機記憶域は、前記一次記憶域の同期式データを受信して記憶するように構成され、
前記待機メモリ記憶域のデータ有効期限は、前記一次記憶域が前記第２の待機記憶域にデータを同期する時間遅延よりも長い、
データ同期システム。
【請求項１４】
命令のセットを格納する非一時的コンピュータ可読媒体であって、前記命令のセットは、データ同期装置にデータ同期方法を行わせるように、前記データ同期装置の少なくとも一つのプロセッサによって実行可能であり、前記方法は、
一次記憶域内の第１の修正データを受信すること、
前記第１の修正データを非同期式メッセージ待ち行列に追加すること、及び
前記非同期式メッセージ待ち行列内の前記第１の修正データをメッセージ送信スレッドによって待機記憶域に送信すること
を含む、非一時的コンピュータ可読媒体。
【請求項１５】
一次記憶域内の第１の修正データを受信することが、
前記一次記憶域内の前記第１の修正データのデータスナップショットを受信すること
を更に含む、請求項１４に記載の非一時的コンピュータ可読媒体。
【請求項１６】
前記命令のセットは、
バックログデータ照会要求を受信すること、及び
前記非同期式メッセージ待ち行列内の未送信データをフィードバックすること
を前記装置に更に行わせるように、前記装置の前記少なくとも一つのプロセッサによって実行可能である、請求項１４に記載の非一時的コンピュータ可読媒体。
【請求項１７】
前記命令のセットは、
前記待機記憶域によってフィードバックされる、前記第１の修正データを成功裏に記憶したことに関する情報を受信すること、及び
前記第１の修正データを削除すること
を前記装置に更に行わせるように、前記装置の前記少なくとも一つのプロセッサによって実行可能である、請求項１４に記載の非一時的コンピュータ可読媒体。
【請求項１８】
前記待機記憶域によってフィードバックされる、前記第１の修正データを成功裏に記憶したことに関する情報を受信することが、
フィードバック条件が満たされるとき前記待機記憶域によってフィードバックされる、前記第１の修正データを成功裏に記憶したことに関する情報を受信することを更に含み、前記フィードバック条件は、前記待機記憶域の全記憶ユニットに対する前記第１の修正データを成功裏に記憶している記憶ユニットの比率が予め設定した比率閾値に達することである、
請求項１７に記載の非一時的コンピュータ可読媒体。
【請求項１９】
前記非同期式メッセージ待ち行列内の前記第１の修正データをメッセージ送信スレッドによって待機記憶域に送信することが、
前記非同期式メッセージ待ち行列内の前記第１の修正データをメッセージ送信スレッドによって待機メモリ記憶域に送信することを更に含み、前記待機メモリ記憶域のデータ有効期限は前記一次記憶域が第２の待機記憶域にデータを同期する時間遅延よりも長い、
請求項１７に記載の非一時的コンピュータ可読媒体。